(57)【要約】  【課題】メッセージの内容から自動的に表示期間を判断して、細かな表示期間の設定作業を無くしてメッセージの作成、登録の簡素化を図るとともに、適切なタイミングでメッセージを表示して通知を効果的に行う。  【解決手段】表示装置は使用者により作成されるメッセージの入力を受け付ける登録部と、登録部により入力されたメッセージを記憶する記憶部と、メッセージの内容からメッセージの表示期間に関する情報を抽出し、抽出された情報に基づきメッセージの表示の終了時を判断する判断部と、時間を計時する計時部と、記憶部に記憶されたメッセージを、判断部で判断された終了時まで表示する表示部と、を含む。【選択図】図９
2014102564.tif 000002
【特許請求の範囲】
【請求項１】
使用者により作成されるメッセージの入力を受け付ける登録部と、
前記登録部により入力された前記メッセージを記憶する記憶部と、
前記メッセージの内容から前記メッセージの表示期間に関する情報を抽出し、抽出された情報に基づき前記メッセージの表示の終了時を判断する判断部と、
時間を計時する計時部と、
前記記憶部に記憶された前記メッセージを、前記判断部で判断された前記終了時まで表示する表示部と、を含むことを特徴とする表示装置。
【請求項２】
前記判断部は前記メッセージの内容から前記メッセージの表示期間に関する情報を抽出し、抽出された情報に基づき、前記メッセージの内容で示されたイベントの開始時を判断し、
前記表示部は前記開始時から予め定められた表示必要期間分、遡った時点が経過すると前記メッセージの表示を開始することを特徴とする請求項１記載の表示装置。
【請求項３】
前記判断部は前記メッセージから前記情報を１つ抽出できたとき、前記情報を前記開始時及び前記終了時と判断することを特徴とする請求項２に記載の表示装置。
【請求項４】
前記判断部は前記情報を複数抽出できたとき、前記メッセージの先頭から見て最初に抽出した前記情報を前記開始時と判断し、前記メッセージの先頭から見て最後に抽出した前記情報を前記終了時と判断することを特徴とする請求項２又は３に記載の表示装置。
【請求項５】
前記判断部は前記情報を複数抽出できたとき、複数の前記情報のうち日時の順番が最初の情報を前記開始時と判断し、日時の順番が最後の情報を前記終了時と判断することを特徴とする請求項２又は３に記載の表示装置。
【請求項６】
前記登録部は前記記憶部に記憶された前記メッセージを非表示とする設定入力を受け付け、
前記表示部は前記非表示と設定入力された前記メッセージを、前記終了日と前記開始日のいずれか一方、又は両方から遡った予め定められた注意表示時で表示することを特徴とする請求項２〜５のいずれか１項に記載の表示装置。
【請求項７】
前記記憶部は前記終了時が経過した前記メッセージを消去し、
前記表示部は前記終了時が経過した前記メッセージを表示しないことを特徴とする請求項１〜６のいずれか１項に記載の表示装置。
【請求項８】
請求項１〜７のいずれか１項に記載の表示装置を含むことを特徴とする画像形成装置。
【発明の詳細な説明】
【技術分野】
【０００１】
本発明はメッセージを表示する表示部を有する表示装置、及び、これを備えた画像形成装置に関する。
【背景技術】
【０００２】
使用者が任意に作成、記述した情報（メッセージ）を表示装置で表示できるようにすることがある。更に、任意に作成したメッセージの表示時刻を設定できるようにし、設定された指定時刻にメッセージを表示させることがある。このような、指定した時刻にメッセージの表示を行わせる情報掲示システムの一例が特許文献１に記載されている。
【０００３】
具体的に、特許文献１には、指定時刻から１０秒間程度広告として伝言内容を表示するシステムであり、利用者から通信回線を介して伝言メッセージを受信する手段と、受信したメッセージを記憶する手段と、記憶した伝言メッセージを、街頭や駅に設置され、広告や案内などを掲示している情報掲示装置の表示部で表示させる手段を備えた情報掲示システムが記載されている。これにより、伝言を発信しようとする本人が所定の場所まで出向く必要を無くし、個人または不特定多数へ伝えたい伝言を手軽に表示しようとする（特許文献１：段落［０００４］〜［０００６］等参照）。
【先行技術文献】
【特許文献】
【０００４】
【特許文献１】特開２００２−２６８９８２号公報
【発明の概要】
【発明が解決しようとする課題】
【０００５】
各種電気機器、電子機器には、表示装置が取り付けられることがある。例えば、表示装置は機器の設定入力や機器の操作用の画面を表示する。又、表示装置にはエラーやエラーに対応するトラブルコードなどのような機器の状態を示すメッセージを表示するものもある。
【０００６】
更に、機器の状態などのメッセージだけではなく、使用者が作成した任意の（所望の）メッセージを表示装置に表示させる場合もある。この場合、使用者は使用上の注意や、各使用者に通知事項などをメッセージとして入力、作成し、メッセージを表示装置で表示させるための操作を行う。その結果、作成、設定された通知文などが表示装置に電子付箋などの態様でメッセージとして表示されることになる。
【０００７】
ここで、従来、メッセージの表示時を指定する場合、メッセージの作成にあわせ、メッセージをいつからいつまで表示するかなどのメッセージの表示期間の設定も必要である。そのため、メッセージの作成だけではなく、細かな表示期間の設定も必要となる場合があり、メッセージの作成、登録の作業が複雑となるという問題がある。又、メッセージの表示期間に関し、作成者が誤った設定、登録を行ってしまうと、適切なタイミングでメッセージを表示できない（メッセージの作成者のミスにより効果的に通知できない）という問題もある。
【０００８】
尚、特許文献１記載の技術は広告に関する技術であって、メッセージの表示期間は極めて短いので、電子付箋のような一定期間にわたるメッセージの表示には適用できない。また、特許文献１記載の技術では、メッセージの表示の開始時刻を指定できるのみであり、表示期間を設定できるものではない。従って、メッセージの表示期間の設定に関する上記の問題を解決することはできない。
【０００９】
本発明は上記問題に鑑みてなされたものであり、メッセージの内容から自動的に表示期間を判断して、細かな表示期間の設定作業を無くしてメッセージの作成、登録の簡素化を図るとともに、適切なタイミングでメッセージを表示して通知を効果的に行う。
【課題を解決するための手段】
【００１０】
上記課題解決のため請求項１に係る表示装置は使用者により作成されるメッセージの入力を受け付ける登録部と、前記登録部により入力された前記メッセージを記憶する記憶部と、前記メッセージの内容から前記メッセージの表示期間に関する情報を抽出し、抽出された情報に基づき前記メッセージの表示の終了時を判断する判断部と、時間を計時する計時部と、前記記憶部に記憶された前記メッセージを、前記判断部で判断された前記終了時まで表示する表示部と、を含む。
【発明の効果】
【００１１】
本発明によれば、メッセージの内容から表示期間に関する情報を自動的に抽出し、抽出された情報に基づき、表示装置は適切な期間（通知が必要な期間）でメッセージを表示する。これにより、メッセージを効果的に使用者に通知することができる。又、メッセージを表示すべき時間を逃さずに適切なタイミングでメッセージを表示させることができる。又、メッセージの表示期間に関する設定（表示の終了時点など）を使用者が行う必要が無く、メッセージの作成、登録作業の簡素化を図ることができる。
【図面の簡単な説明】
【００１２】
【図１】複合機の一例を示す正面模型的断面図である。
【図２】操作パネルの一例を示す平面図である。
【図３】複合機や操作パネルのハードウェア構成の一例を示すブロック図である。
【図４】メッセージ作成画面の一例を示す説明図である。
【図５】ソフトウェアキーボード画面の一例を示す説明図である。
【図６】コピー機能の初期設定画面の一例を示す説明図である。
【図７】メッセージが表示されたコピー機能の初期設定画面の一例を示す説明図である。
【図８】メッセージの開始時と終了時の設定の流れの一例を示すフローチャートである。
【図９】終了時、開始時に基づいたメッセージの表示制御の流れの一例を示すフローチャートである。
【発明を実施するための形態】
【００１３】
以下、図１〜図９を用い、実施形態を説明する。以下では、操作パネル１（表示装置に相当）を含む複合機１００（画像形成装置に相当）を例に挙げ説明する。但し、本実施の形態に記載されている構成、配置等の各要素は、発明の範囲を限定せず、単なる説明例にすぎない。
【００１４】
（画像形成装置の概略）
まず、図１を用い、実施形態に係る複合機１００の概略を説明する。図１は複合機１００の一例を示す正面模型的断面図である。
【００１５】
図１に示すように、複合機１００の正面前方には、複合機１００に関して各種設定を行うための操作パネル１が設けられる（詳細は後述）。又、図１に示すように、本実施形態の複合機１００は、上部に画像読取部２ａと原稿搬送部２ｂが設けられ、内部に、給紙部３ａ、搬送部３ｂ、画像形成部４、中間転写部５ａ、定着部５ｂ、排出搬送部３ｃ、両面搬送部３ｄなどを備える。
【００１６】
原稿搬送部２ｂは原稿トレイ２１を有する。コピーやスキャンを行う原稿は原稿トレイ２１に載置される。そして、原稿搬送部２ｂは原稿トレイ２１から原稿を１枚ずつ、自動的に連続して読取位置（送り読取用コンタクトガラス２２）に搬送する。又、原稿搬送部２ｂは図１の紙面奥側を支点として画像読取部２ａに上下方向に開閉自在に取り付けられる。原稿搬送部２ｂは画像読取部２ａのコンタクトガラス（送り読取用コンタクトガラス２２及び載置読取用コンタクトガラス２３）を上方から押さえるカバーとして機能する。
【００１７】
図１に示すように、画像読取部２ａの上面には、送り読取用コンタクトガラス２２と書籍等の原稿を１枚ずつ読み取る際に原稿を載置する載置読取用コンタクトガラス２３が配される。又、画像読取部２ａ内には、ランプ、ミラー、レンズ、イメージセンサーなどの光学系部材（不図示）が配される。イメージセンサーは原稿搬送部２ｂが送り読取用コンタクトガラス２２を通過させる原稿、あるいは、載置読取用コンタクトガラス２３に載置された原稿の反射光を元に、原稿を読み取る。そして、イメージセンサーは反射光を画像濃度に応じたアナログの電気信号に変換し、電気信号の量子化を行う。これにより、原稿の画像データが得られる。尚、本実施形態の画像読取部２ａはカラーでも、白黒でも読み取り可能である。
【００１８】
複合機１００本体内の複数の給紙部３ａはそれぞれ、各サイズ（例えば、Ａ４やＢ４やレターサイズなどの定型用紙）、各種用紙（例えば、コピー用紙、再生紙、厚紙、ＯＨＰシート等）を複数枚収容する。各給紙部３ａはそれぞれ回転駆動する給紙ローラー３１を備え、印刷時、１枚ずつ搬送部３ｂに用紙を送り込む。
【００１９】
搬送部３ｂは給紙部３ａから画像形成部４(２次転写ローラー)まで装置内で用紙を搬送する。そして、搬送部３ｂには、用紙の案内のためのガイド板や、用紙搬送時に回転駆動する搬送ローラー対３２（図１において、上方から３２ａ、３２ｂ、３２ｃの計３つ）や、搬送される用紙を画像形成部４の手前で待機させ、形成されたトナー像の転写タイミングに合わせ用紙を送り出すレジストローラー対３３等が設けられる。
【００２０】
画像形成部４は複数の画像形成ユニット４０（ブラック用の４０Ｂｋ、イエロー用の４０Ｙ、シアン用の４０Ｃ、マゼンタ用の４０Ｍ）と露光装置４１を含む。各画像形成ユニット４０は回転駆動可能に支持された感光体ドラムや、感光体ドラムの周囲に配設された帯電装置、現像装置、清掃装置等を備える。露光装置４１は画像読取部２ａで読み取られた画像データや後述の記憶装置６２に記憶される画像データ等に基づき、レーザ光を点消灯しつつ出力し、各感光体ドラムを走査露光する。そして、各画像形成ユニット４０と露光装置４１により、各感光体ドラムの周面上にトナー像が形成される。
【００２１】
中間転写部５ａは各画像形成ユニット４０からトナー像の１次転写を受け、シートに２次転写を行う。中間転写部５ａは、各１次転写ローラー５１Ｂｋ〜５１Ｍ、中間転写ベルト５２、駆動ローラー５３、複数の従動ローラー５４（５４ａ〜５４ｃ）、２次転写ローラー５５、ベルト清掃装置５６等を含む。中間転写ベルト５２は駆動ローラー５３等に張架され、モータ等の駆動機構（不図示）に接続される駆動ローラー５３の回転駆動により周回する。そして、各１次転写ローラー５１Ｂｋ〜５１Ｍには、転写用電圧が印加され、各感光体ドラムのトナー像は中間転写ベルト５２に転写される。ずれなくトナー像を重畳して中間転写ベルト５２に１次転写した後、所定の電圧を印加された２次転写ローラー５５により、シートにトナー像が転写される。
【００２２】
定着部５ｂは用紙に転写されたトナー像を定着させる。定着部５ｂは発熱体を内蔵する加熱ローラー５７とこれに圧接する加圧ローラー５８を含む。そして、用紙が加熱ローラー５７と加圧ローラー５８のニップを通過すると、トナーが溶融・加熱され、トナー像が用紙に定着する。定着部５ｂから排出された用紙は排出トレイ３４方向に送られる。
【００２３】
排出搬送部３ｃは印刷済の用紙を排出トレイ３４方向又は両面搬送部３ｄの方向に用紙搬送方向を仕分ける。そして、排出搬送部３ｃは正回転方向に回転駆動して排出トレイ３４の方向に送り出す、或いは、両面印刷のため逆回転しスイッチバックを行う排出ローラー対３５を有する。又、排出搬送部３ｃは用紙の搬送方向を切り替えるため、切替弁３６を有する。切替弁３６は両面搬送部３ｄを閉じて用紙を排出トレイ３４方向に導く位置を基本位置とし、両面印刷の際、回動してスイッチバックされた片面印刷済みの用紙を両面搬送部３ｄに導く。両面搬送部３ｄは、定着部５ｂの下流側とレジストローラー対３３の上流側とを結ぶ。両面搬送部３ｄには、両面印刷のため、回転駆動する複数の両面搬送ローラー対３７〜３９が設けられ、片面印刷済の用紙が搬送される。
【００２４】
（操作パネル１）
次に、図２を用いて、実施形態に係る操作パネル１の一例を説明する。図２は操作パネル１の一例を示す平面図である。
【００２５】
図１に示すように、操作パネル１は複合機１００の正面上方に設けられる。そして、操作パネル１は表示部１１、タッチパネル部１２（登録部に相当）、各種ハードキーを含む。操作パネル１はハードキーとして、コピー等の処理開始指示用のスタートキー１３や、数字入力用のテンキー部１４（登録部に相当）などを含む。
【００２６】
表示部１１は液晶表示パネルである（有機ＥＬパネルなど他種の表示パネルでもよい）。表示部１１は複合機１００の設定を行うためのメニューやキーが配された画面、画像を表示する。使用者は表示部１１に表示されたキーを指定して、複合機１００の各種設定を入力できる。又、表示部１１は複合機１００等の状態などのメッセージ等の各種画像、画面を表示する。
【００２７】
又、表示部１１の上面にタッチパネル部１２が設けられる。タッチパネル部１２は使用者がタッチした位置、座標を検知する。キーの表示位置とタッチされた位置を比較することで、使用者が指定するキーが特定され、使用者の入力が受け付けられる。
【００２８】
又、本実施形態の表示部１１はメッセージ８を表示する。操作パネル１への入力を行うことにより、自由に通知内容（メッセージ）を作成、登録することができる、そして、作成したメッセージ８を表示部１１の表示領域に付す（表示させる）ことができる（詳細は後述）。尚、メッセージ８はドラッグアンドドロップ操作などの操作により表示位置が移動可能な画像でもある。
【００２９】
又、操作パネル１には、機能選択キー群１４ａが設けられる。使用者は機能選択キー群１４ａのなかのいずれかのキーを押して、複合機１００の有する機能のうち用いる機能を選択する。機能選択キー群１４ａの中には、コピー機能を用いるときに押されるコピーキーや、画像読取部２ａで読み取った画像データをコンピューター２００やＦＡＸ装置３００に送信するときに押される送信キーなどが含まれる。
【００３０】
（複合機１００等のハードウェア構成）
次に、図３を用いて、実施形態に係る複合機１００や操作パネル１のハードウェア構成の一例を説明する。図３は複合機１００や操作パネル１のハードウェア構成の一例を示すブロック図である。
【００３１】
まず、複合機１００本体内には、主制御部６が設けられる。例えば、主制御部６は操作パネル１、原稿搬送部２ｂ、画像読取部２ａ、給紙部３ａ、搬送部３ｂ、画像形成部４、定着部５ｂ、排出搬送部３ｃ等と接続され、これらの制御を行う。
【００３２】
例えば、主制御部６はＣＰＵ６１等の制御を行う素子を含む。ＣＰＵ６１は記憶装置６２に格納され、展開される制御プログラムに基づき演算等を行い、複合機１００の各部を制御する。尚、主制御部６は全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を主制御部６としてまとめた形態を示し、説明する。
【００３３】
記憶装置６２（記憶部に相当）は主制御部６と接続される。記憶装置６２はＲＯＭ、ＲＡＭ、ＨＤＤ等の不揮発性と揮発性の装置を組み合わせたものである。記憶装置６２は複合機１００の制御用プログラム、制御用データ、設定データ、画像データ等の各種データを記憶できる。
【００３４】
そして、主制御部６は各種コネクタ、ソケットやＦＡＸモデム等を備えたインターフェイス部（以下、通信部６３、登録部に相当）と接続される。通信部６３はネットワークや公衆回線等により複数の外部のコンピューター２００（例えば、パーソナルコンピューターやサーバー）や相手方ＦＡＸ装置３００（図３では、いずれも便宜上１つのみ図示）と接続される。例えば、画像読取部２ａで得られた画像データを記憶装置６２に記憶させることや（ボックス機能）、外部のコンピューター２００や相手方ＦＡＸ装置３００に送信することができる（スキャナ機能、ＦＡＸ送信機能）。又、外部のコンピューター２００や相手方ＦＡＸ装置３００から送信され、複合機１００に入力される画像データに基づき印刷を行うこともできる（プリンター機能、ＦＡＸ受信機能）。
【００３５】
又、主制御部６には、画像読取部２ａで原稿を読み取って得られた画像データや通信部６３を介して複合機１００に入力された画像データに対し、画像処理を施す画像処理部６４が設けられる。例えば、画像処理部６４が処理した画像データは露光装置４１に送信され、感光体ドラムの走査・露光に用いられたり、記憶装置６２に記憶されたりする。
【００３６】
又、主制御部６は操作パネル１になされた入力を認識し、使用者の設定にあわせてコピーやスキャンなどのジョブが行われるように複合機１００を制御する。本実施形態の操作パネル１はパネル制御部１０（判断部に相当）、表示部１１、タッチパネル部１２、ハードキー（例えば、テンキー部１４やスタートキー１３）、メモリー１５（記憶部に相当）、ドライバ回路１６等を含む。
【００３７】
パネル制御部１０はＣＰＵやＩＣ等で構成される。パネル制御部１０は表示部１１の表示を制御する。パネル制御部１０は表示部１１のパネルの表示を実際に制御するドライバ回路１６に表示すべき内容の指示を与える。又、パネル制御部１０はタッチパネル部１２の出力を受け、タッチされた位置（座標）を特定する。パネル制御部１０はタッチ位置とタッチされたときの表示部１１が表示していた画面の画像データを比較し、タッチされた位置に表示されていたキーやメッセージ８を認識する。タッチパネル部１２の出力と位置（座標）の対応を示すテーブル等のデータはメモリー１５に記憶される。メモリー１５はＲＯＭやＲＡＭを含む。このように、パネル制御部１０は使用者により指定されたキーを認識できる。
【００３８】
又、メモリー１５は使用者や管理者が作成した各メッセージ８について、メッセージ８の内容を示す内容データＤ１１などを含むメッセージデータＤ１を記憶する。パネル制御部１０はメッセージデータＤ１に基づき、メッセージ８を表示部１１に表示させる（詳細は後述）。
【００３９】
又、タッチパネル部１２にはタッチされた位置を検知するための位置検知部１２１が設けられる。例えば、位置検知部１２１はタッチ位置（タッチされた点の座標）を検知するためのＩＣである。例えば、タッチパネル部１２が静電容量方式で投影型のパネルを含むのであれば、位置検知部１２１はタッチパネル部１２で静電容量の変化を検知し、１又は複数の同時にタッチされた位置を示す信号を出力する。パネル制御部１０は位置検知部１２１の出力に基づき、タッチされた位置を認識する。
【００４０】
また、複合機１００には、計時部６５が設けられる。計時部６５は時間を測り、時計として機能する。具体的には、計時部６５は年月日、時刻（時、分、秒）などを計時する。計時部６５は操作パネル１内に設けられてもよいし、制御部内に設けられてもよい。尚、操作パネル１（複合機１００）はネットワークを介して、年月日や時刻を示す情報を取得してもよい。この場合、通信部６３や日時や時刻を示す情報の取得を指示するパネル制御部１０や主制御部６が計時部６５として機能する。
【００４１】
（メッセージ８の作成）
次に、図４、図５を用いて、実施形態に係るメッセージ８の作成を説明する。図４はメッセージ作成画面７１の一例を示す説明図である。図５はソフトウェアキーボード画面７２の一例を示す説明図である。
【００４２】
実施形態に係る操作パネル１はエラーや状態情報などの予め用意された定形のメッセージ（情報）だけではなく、使用者や管理者が内容を自由に決めて作成したメッセージ８を記憶し、登録されたメッセージ８を表示する。そして、以下では、使用者により作成、登録されるメッセージ８に関して説明する。メッセージ８は文章、情報を含み、表示部１１に表示される画像であり、画面に貼り付けられる画像である。
【００４３】
まず、図４を用いて、メッセージ８の作成を説明する。使用者は操作パネル１に入力を行うことにより、メッセージ８に含める情報（内容、文章、情報、記号）を作成することができる。そのため、操作パネル１はメッセージ８の内容の作成など、メッセージ８を操作パネル１に入力、登録するための登録部として機能する。尚、コンピューター２００でメッセージ８の内容などを入力し、複合機１００がコンピューター２００で作成されたメッセージデータＤ１を受信してメッセージ８の設定が行われてもよい。この場合は、通信部６３がメッセージ８の内容などの設定を行うための登録部として機能する。
【００４４】
本実施形態の操作パネル１では、メッセージ８を作成するためのメッセージ作成画面７１が用意される。メッセージ作成画面７１を表示させるための予め定められた操作、入力がタッチパネル部１２などになされると、パネル制御部１０はメッセージ作成画面７１を表示部１１に表示させる。
【００４５】
メッセージ作成画面７１には、メッセージ８として表示する内容（情報、文章、情報等）を作成、入力するための作成キーＫ１が設けられる。作成キーＫ１の表示位置へのタッチを検知すると、パネル制御部１０はソフトウェアキーボード画面７２（図５参照）を表示部１１に表示させる。使用者はソフトウェアキーボード画面７２の各キーの表示位置をタッチすることにより、かな、漢字、アルファベット、記号などを用いて、メッセージ８を作成することができる。又、数字などはテンキー部１４で入力することもできる。
【００４６】
ソフトウェアキーボード画面７２の終了キーＫ２の表示位置がタッチされると、パネル制御部１０はソフトウェアキーボード画面７２を閉じてメッセージ作成画面７１を表示する。そして、パネル制御部１０は表示部１１に、ソフトウェアキーボード画面７２で作成されたメッセージ８をメッセージ表示欄Ｃ１に表示させる。
【００４７】
完了キーＫ３の表示位置がタッチされると、パネル制御部１０は設定されたメッセージ８を示すデータや設定されたメッセージ８の内容を示す内容データを含むメッセージデータＤ１をメモリー１５に記憶させる。これにより、操作パネル１に使用者が作成したメッセージ８が登録される。尚、記憶装置６２がメッセージデータＤ１を記憶してもよい。又、使用者が作成したメッセージ８（メッセージデータＤ１）は１つとは限らず、複数種、操作パネル１に登録することができる。
【００４８】
そして、パネル制御部１０はメモリー１５や記憶装置６２に記憶されたメッセージデータＤ１に基づき、メッセージ８を表示部１１に表示させる。又、表示すべきメッセージ８（メッセージデータＤ１）が複数あるとき、パネル制御部１０は複数のメッセージ８を表示部１１に表示させる。
【００４９】
（メッセージ８の表示領域と表示の概要）
次に、図６、図７を用いて、表示部１１の表示領域と、設定されたメッセージ８の表示の概要を説明する。図６はコピー機能の初期設定画面７３の一例を示す説明図である。図７はメッセージ８が表示されたコピー機能の初期設定画面７３の一例を示す説明図である。
【００５０】
複合機１００はコピー、プリンター、送信など複数の機能を有し、各機能では複数の設定項目が用意される。そのため、使用者の入力、操作にあわせ、操作パネル１の表示部１１に表示される画面は多数種に及ぶ。そこで、便宜上、本説明では、操作パネル１の表示部１１に表示される画面の一例として、コピー機能を選択したときに最初に表示される初期設定画面７３を例に上げて以下説明する。
【００５１】
まず、コピー機能の初期設定画面７３について説明する。コピー機能の初期設定画面７３は機能選択キー群１４ａ内のコピーキーを押したとき、最初に表示される画面である。図６に示すように、コピー機能の初期設定画面７３には、よく用いられる設定項目の設定を行うためのキーが配される。初期設定画面７３にどの設定項目のキーを表示させるかは、使用者が設定することができる。
【００５２】
又、初期設定画面７３には、複数のタブが配される。コピー機能に関する設定項目は多数に及ぶので、全ての設定項目を１画面中に表示しきれない。そのため、コピー機能に関する各設定項目はいずれかのカテゴリー（グループ）に割り振られる。そして、各タブには、コピー機能に関する設定項目のカテゴリーが示される（原稿／用紙／仕上げや、カラー／画質タブなど）。簡単設定以外のタブの表示位置がタッチされると、操作パネル１は各カテゴリーに割り振られた設定項目を選択するための画面を表示部１１に表示させる。そして、使用者は各タブの表示位置をタッチして、所望の設定項目を選択し、選択した設定項目の設定値を設定することができる。
【００５３】
まず、図６、図７を用いて、メッセージ８の表示領域を説明する。
【００５４】
上述のように、本実施形態の操作パネル１では、使用者は表示させたいメッセージ８を作成設定、入力し、パネル制御部１０は設定されたメッセージ８を表示部１１に表示させる。そして、本実施形態の操作パネル１では、メッセージ８を表示する領域としてメイン領域９１とサブ領域９２が用意される。
【００５５】
メイン領域９１は表示部１１の大部分を占める領域であり、メイン領域９１には各種設定画面も表示される。本実施形態の操作パネル１では、メイン領域９１にメッセージ８を表示するとき、パネル制御部１０はメッセージ８を電子付箋の態様で表示部１１に表示させる。そのため、図７に示すように、パネル制御部１０はメイン領域９１にメッセージ８を表示するとき、各種設定画面の上側に重ねるように（付箋紙のように）、メッセージ８を表示部１１に表示させる。言い換えると、メイン領域９１にメッセージ８を表示するとき、パネル制御部１０は設定画面に対し、上層として重ねてメッセージ８を表示部１１に表示させる。
【００５６】
又、サブ領域９２はメイン領域９１よりも狭い領域である（メイン領域９１の数分の一〜十数分の一）。そのため、パネル制御部１０は電子付箋ではなく、一列のテキストの態様でメッセージ８を表示部１１に表示させる。サブ領域９２はメイン領域９１よりも狭いため、パネル制御部１０はメッセージ８の表示サイズを、メイン領域９１での表示サイズよりも小さくして表示部１１にメッセージ８を表示させる。
【００５７】
具体的に、本実施形態の操作パネル１では、サブ領域９２は表示部１１の下端部分に設けられる。本実施形態では、サブ領域９２は表示部１１の左右方向を長手方向とし、表示部１１の下端に設けられた矩形状の細長い領域である。サブ領域９２はメッセージ８を表示する領域として、表示部１１の表示領域の一部を割り当てた領域である。そして、パネル制御部１０は表示部１１のサブ領域９２にメッセージ８を表示させる。
【００５８】
次に、メッセージ８の表示の概要を説明する。パネル制御部１０はメモリー１５や記憶装置６２に記憶された各メッセージ８のメッセージデータＤ１を確認する。そして、メッセージデータＤ１に基づき、パネル制御部１０は各種設定画面内に、１又は複数のメッセージ８を表示部１１に表示させる（図７参照）。図７では、メッセージ８として、「定期メンテナンスの予定：３月３日」（以下、便宜上「第１メッセージ８１」と称する。）、「ビルの定期点検のため□□／４／１  １０：００から△△／４／２  ２３：００は停電」（以下、便宜上「第２メッセージ８２」と称する。）、「休業期間「４／３０〜５／６」」（以下、便宜上「第３メッセージ８３」と称する。）の３つのメッセージ８が表示されている例を示している。
【００５９】
尚、本実施形態の操作パネル１では、メイン領域９１に電子付箋として表示されたメッセージ８をサブ領域９２に移動させて表示させることができる。又、サブ領域９２に表示されたメッセージ８をメイン領域９１に移動させて電子付箋として表示させることもできる。言い換えると、パネル制御部１０はメッセージ８の表示領域を変更させて、表示部１１でのメッセージ８の表示形態を変化させる。
【００６０】
タッチパネル部１２の出力に基づき、パネル制御部１０がメイン領域９１に表示されたメッセージ８をサブ領域９２に移動させて表示させる移動操作がなされたことを受け付けると、パネル制御部１０は移動操作がなされたメッセージ８をサブ領域９２で表示させ、表示位置を変化させる。又、タッチパネル部１２の出力に基づき、パネル制御部１０がサブ領域９２に表示されたメッセージ８をメイン領域９１に移動させて表示させるための戻し操作がなされたことを受け付けると、パネル制御部１０は戻し操作がなされたメッセージ８をメイン領域９１に電子付箋の形態で表示させ、表示位置を変化させる。具体的に、実施形態の操作パネル１では、ドラッグアンドドロップ操作が移動操作、戻し操作として受け付けられる（他種の操作でもよい）。このように、ドラッグアンドドロップ操作によりメッセージ８の表示領域や表示位置を変更させることができる。
【００６１】
尚、サブ領域９２で表示するべきメッセージ８が複数ある場合、パネル制御部１０は一定間隔（例えば、数秒間隔）で表示するメッセージ８を順番に切り替える。
【００６２】
（メッセージ８の編集）
操作パネル１は表示されたメッセージ８の内容の編集の操作、設定を受け付けてもよい。そこで、図４を用いて、使用者が作成したメッセージ８の編集について説明する。
【００６３】
表示位置に対する予め定められた時間内での複数回のタッチ（ダブルクリック的なタッチ）のような表示されたメッセージ８を編集するための特定の操作がなされると、パネル制御部１０は編集対象とされたメッセージ８に対応するメッセージ作成画面７１を表示部１１に表示させる。このとき、パネル制御部１０は編集対象とされたメッセージ８がメッセージ表示欄Ｃ１に表示された状態のメッセージ作成画面７１を表示部１１に表示させる。
【００６４】
使用者は編集の対象としたメッセージ８を修正することができる。編集するメッセージ８のメッセージ作成画面７１の作成キーＫ１の表示位置がタッチされると、パネル制御部１０はソフトウェアキーボード画面７２を表示部１１に表示させる。そして、パネル制御部１０はソフトウェアキーボード画面７２による修正後の内容を反映したメッセージデータＤ１にメモリー１５や記憶装置６２のメッセージデータＤ１を更新させる。これにより、以後、パネル制御部１０は修正後の内容でメッセージ８を表示部１１に表示させる、
【００６５】
又、使用者は編集の対象としたメッセージ８を以後非表示とすることができる。メッセージ８を非表示とするため、メッセージ作成画面７１の非表示キーＫ４の表示位置がタッチされると、パネル制御部１０は非表示とする指示がなされたメッセージ８（電子付箋）を、原則として、表示部１１に表示させない。
【００６６】
尚、非表示キーＫ４によりメッセージ８を原則非表示と設定したとき、非表示キーＫ４の変わりに表示キー（不図示）が表示される。使用者は表示キーの表示位置をタッチすることにより、非表示と設定したメッセージ８を以後表示とする設定を行うことができる。メッセージ８の非表示を解除するため、メッセージ作成画面７１の表示キーの表示位置がタッチされると、パネル制御部１０は非表示が解除されたメッセージ８（電子付箋）を終了日まで表示部１１に表示させる。
【００６７】
（メッセージ８の開始時と終了時の設定）
次に、図８を用いて、実施形態に係る操作パネル１でのメッセージ８登録時の開始時と終了時の設定の流れを説明する。図８はメッセージ８の開始時と終了時の設定の流れの一例を示すフローチャートである。
【００６８】
本実施形態の操作パネル１では使用者が作成し、登録したメッセージ８からメッセージ８の表示期間に関する情報を抽出する。そして、抽出した情報に基づき、メッセージ８の表示するうえでの終了時や、メッセージ８で通知するイベントの開始時を設定する。これにより、従来のように、メッセージ８の表示期間に関して、詳細な設定を行う必要がなくなる。又、メッセージ８に含める態様で表示期間を定義することができる。
【００６９】
そこで、メッセージ８からの表示期間に関する情報の抽出と終了時や開始時の設定について図８を用いて説明する。図８のスタートはメッセージ８の登録時（メッセージ作成画面７１にてメッセージ８の作成後、登録のために完了キーＫ３の表示位置がタッチされたとき）である。
【００７０】
まず、パネル制御部１０は作成されたメッセージ８の中から、表示期間に関する情報を抽出する。具体的に、パネル制御部１０は日時や時刻を示す一連の記号や文字を抽出する。どのような記号や文字を表示期間に関する情報として抽出するかは、メモリー１５で定義されている。
【００７１】
メモリー１５では、例えば、「ｎ年」、「ｎ月」、「ｎ日」、「ｎ時」、「ｎ分」、「ｎ秒」、「ｎ／ｍ」、「ＡＭｎ：ｎｎ」、「ＰＭｎ：ｎｎ」など、慣用的に日時、時刻を示す表記として用いられる表現形態に基づき、表示期間に関する情報として抽出すべき文字や記号や数字の組み合わせが定義され、抽出用データＤ２としてメモリー１５に格納される（図３参照）。
【００７２】
尚、抽出用データＤ２のサイズを小さくて済ますとともに、正確に表示期間に関する情報を抽出するため、本実施形態の操作パネル１では、表示期間に関する情報の記載形式はある程度、予め取り決められる。例えば、日付は「ｎ（月）／ｍ（日）」又は「ｎ月ｍ日」形式で記載するべきことや、年月日は「ａ（年）／ｂ（月）／ｃ（日）」の形式で記載すべきことが取り決められる。
【００７３】
又、パネル制御部１０は年、月、日、時刻を示す情報が連なる形で接続されているとき（時刻を示す情報ではない情報を挟まずに叙述されているとき。スペースは無いものと扱う）、連なる形で接続されている一群を１つの表示期間に関する情報として抽出する。例えば、メッセージ８が「ｎ年ｎ月ｎ日」という記述を含む場合、パネル制御部１０は年、月、日を分割してそれぞれを表示期間に関する情報として扱うのではなく、「ｎ年ｎ月ｎ日」の全体を１つの表示期間に関する情報として抽出する。又、抽出した１つの表示期間に関する情報のうち年を示す情報が無く、日付を示しているとき、パネル制御部１０は現在から１年年以内の日付を示しているものと扱う。
【００７４】
パネル制御部１０は抽出用データＤ２を参照し、作成され、登録しようとするメッセージ８から表示期間に関する情報を抽出する（ステップ♯１１）。例えば、パネル制御部１０は第１メッセージ８１「定期メンテナンスの予定：３月３日」から「３月３日」を表示期間に関する情報として抽出する。同様に、パネル制御部１０は第２メッセージ８２「ビルの定期点検のため□□／４／１  １０：００から△△／４／２  ２３：００は停電」から、「□□／４／１  １０：００」と「△△／４／２  ２３：００」を表示期間に関する情報として抽出する。又、パネル制御部１０は第３メッセージ８３「休業期間「４／３０〜５／６」」から、「４／３０」と「５／６」を表示期間に関する情報として抽出する。
【００７５】
そして、パネル制御部１０は表示期間に関する情報を複数抽出したか否かを確認する（ステップ♯１２）。複数抽出された場合（ステップ♯１２のＹｅｓ）、パネル制御部１０はメッセージ８の先頭から見て最初に抽出した情報（情報で示される時）を開始時と判断し、メッセージ８の先頭から見て最後に抽出した情報（情報で示される時）を終了時と判断し、設定する（記載順に基づく設定。ステップ♯１３）。あるいは、パネル制御部１０は複数の文字列のうち日時の順番が最初の情報（情報で示される時）を開始時と判断し、日時の順番が最後の情報（情報で示される時）を終了時と判断し、設定する（日付順に基づく設定。ステップ♯１３）。
【００７６】
本実施形態の操作パネル１では、記載順に基づき開始時や終了時を設定するか、日付順に基づき開始時や終了時を設定するか設定可能であり、操作パネル１への入力を行うことにより選択可能である。
【００７７】
一方、情報を複数抽出できなかった場合（ステップ♯１２のＮｏ）、パネル制御部１０は表示期間に関する情報を１つ抽出したか否かを確認する（ステップ♯１４）。表示期間に関する情報を１つ抽出できた場合（ステップ♯１４のＹｅｓ）、パネル制御部１０は抽出した情報で示される時を開始時及び終了時と判断し、設定する（ステップ♯１５）。
【００７８】
そして、パネル制御部１０はメッセージデータＤ１として、メッセージ８の内容を示す内容データＤ１１とともに、判断、設定した終了時と開始時を示すデータである表示期間データをメモリー１５や記憶装置６２に記憶させる（ステップ♯１６→エンド、図３参照）。これにより、使用者により作成されたメッセージ８の内容とともに表示期間を示すデータも自動的に登録される。
【００７９】
また、表示期間に関する情報を１つも抽出できなかったとき（ステップ♯１４のＮｏ）、パネル制御部１０は作成されたメッセージ８について終了時と開始時を定めること無く（表示期間データを付さず）、内容データＤ１１のみをメッセージデータＤ１としてメモリー１５や記憶装置６２に記憶させる（ステップ♯１７→エンド）。
【００８０】
（終了時、開始時に基づいたメッセージ８の表示）
次に、図９を用いて、実施形態に係る操作パネル１での終了時、開始時に基づいたメッセージ８の表示制御の一例を説明する。図９は終了時、開始時に基づいたメッセージ８の表示制御の流れの一例を示すフローチャートである。
【００８１】
例えば、図９のスタートは操作パネル１で表示を開始するときである。操作パネル１での表示の開始は主電源の投入がなされたときや、省電力モードが解除された時点である。又、図９のフローは、主電源が投入され、省電力モードでなく、操作パネル１（複合機１００）の表示部１１が表示を行っている状態のとき、定期的、周期的（例えば、１０分ごとや１時間ごとや数時間ごと）に実行されてもよい。
【００８２】
尚、表示部１１に表示させるメッセージ８が複数ある場合（メモリー１５や記憶装置６２に複数のメッセージ８分のメッセージデータＤ１が記憶されている場合）、各メッセージ８に対し、図９のフローチャートが実行される（繰り返される）。言い換えると、図９に示すフローチャートは１つのメッセージ８に対するものである。
【００８３】
まず、パネル制御部１０はメモリー１５や記憶装置６２に記憶されるメッセージデータＤ１を確認する（ステップ♯２１）。そして、パネル制御部１０はメッセージ８に対し表示の終了時やイベントの開始時が設定されているか否かを確認する（ステップ♯２２）。
【００８４】
もし、終了時や開始時が設定されていなければ（ステップ♯２２のＮｏ）、パネル制御部１０は確認したメッセージデータＤ１に含まれる内容データＤ１１に基づき、メッセージ８を表示させる（ステップ♯２３→エンド）。尚、終了時や開始時が設定されていないメッセージ８を表示しないようにしてもよい。
【００８５】
一方、終了時や開始時が設定されていれば（ステップ♯２２のＹｅｓ）、パネル制御部１０は計時部６５により計時された時間を参照し、現時点で終了時が経過しているか否かを確認する（ステップ♯２４）。
【００８６】
もし、現時点で終了時が経過していれば（ステップ♯２４のＹｅｓ）、パネル制御部１０は終了時が経過したメッセージ８のメッセージデータＤ１をメモリー１５から消去させる（ステップ♯２５→エンド）。具体的には、パネル制御部１０は終了時が経過したメッセージ８の内容データＤ１１や表示期間データを消去する。これにより、パネル制御部１０は終了時が経過したメッセージ８を表示部１１に表示させない。言い換えると、パネル制御部１０は終了時が設定されているメッセージ８を終了時まで表示する。
【００８７】
一方、現時点で終了時が経過していなければ（ステップ♯２４のＮｏ）、パネル制御部１０はメッセージ８に対して非表示の設定がなされているか否かを確認する（ステップ♯２６）。図４を用いて説明したように、メッセージ作成画面７１で非表示キーＫ４の表示位置をタッチすることにより、メッセージ８を非表示状態とする設定を行うことができる（図４参照）。
【００８８】
非表示キーＫ４の表示位置へのタッチにより、メッセージ８を非表示とする設定がなされていれば（ステップ♯２６のＹｅｓ）、パネル制御部１０は非表示と設定されたメッセージ８をあえて表示させるときとして予め定められた注意表示時であるか（現時点が注意表示時であるか）否かを確認する（ステップ♯２７）。
【００８９】
注意表示時は非表示と設定されたメッセージ８をあえて表示させる時点である。注意表示時はメッセージ８で通知するイベントの開始時やメッセージ８の表示の終了時から一定の時間遡った時点であり、適宜定めることができる時点である。注意表示時は、終了時を基準に定めてもよいし、開始時を基準に定めてもよいし、終了時と開始時の両方を基準として定めてもよい。非表示とする設定はされているならば、非表示設定がなされたメッセージ８を頻繁に表示させる必要はない。そこで、注意表示時は終了時や開始時の当日や、終了時や開始時の１週間前のうちいずれか１日などとすることができる。このように、注意表示時は非表示設定でないメッセージ８（通常のメッセージ８）よりも表示している時間が少なくなるように設定される。
【００９０】
もし、注意表示時であれば（ステップ♯２７のＹｅｓ）、パネル制御部１０は非表示と設定されたメッセージ８を表示部１１に表示させる（ステップ♯２８→エンド）。一方、注意表示時でなければ（ステップ♯２７のＮｏ）、パネル制御部１０は非表示と設定されたメッセージ８を表示部１１に表示させない（ステップ♯２９→エンド）。
【００９１】
一方で、ステップ♯２６において、メッセージ８が非表示と設定とされたものでなければ（ステップ♯２６のＮｏ）、パネル制御部１０は現時点がメッセージ８を表示すべき期間内か否かを確認する（ステップ♯２１０）。
【００９２】
ここで、メッセージ８を表示すべきか否かを判断するため、表示必要期間が予め定められる。表示必要期間は任意に定めることができる期間である。表示必要期間は１週間、数週間、１ヶ月、数日（２、３日）などのように一定の期間である。尚、タッチパネル部１２やテンキー部１４への入力により、表示必要期間の設定をできるようにしてもよい。
【００９３】
パネル制御部１０は現時点が開始時から表示必要期間分、遡った時点が経過した後であれば、メッセージ８を表示すべき期間内と判断する（ステップ♯２１０のＹｅｓ）。言い換えると、パネル制御部１０は（イベントの）開始時から予め定められた表示必要期間分、遡った時点が経過すると、メッセージ８の表示を表示部１１に開始させる。一方、現時点が開始時から表示必要期間分、遡った時点の経過以前であれば、パネル制御部１０はメッセージ８の表示の開始にはまだ早く、メッセージ８を表示すべき期間外と判断する。
【００９４】
メッセージ８を表示すべき期間内であれば（ステップ♯２１０のＹｅｓ）、パネル制御部１０はメッセージ８を表示部１１に表示させる（ステップ♯２１１→エンド）。一方、メッセージ８を表示すべき期間内でなければ（ステップ♯２１０のＮｏ）、パネル制御部１０はメッセージ８を表示部１１に表示させない（ステップ♯２１２→エンド）。
【００９５】
このようにして、本実施形態に係る表示装置（操作パネル１）は使用者により作成されたメッセージ８の入力を受け付ける登録部（タッチパネル部１２やテンキー部１４や通信部６３など）と、登録部により入力されたメッセージ８を記憶する記憶部（メモリー１５や記憶装置６２）と、メッセージ８の内容からメッセージ８の表示期間に関する情報を抽出し、抽出された情報に基づきメッセージ８の表示の終了時を判断する判断部（パネル制御部１０）と、時間を計時する計時部６５と、記憶部に記憶されたメッセージ８を、判断部で判断された終了時まで表示する表示部１１と、を含む。
【００９６】
これにより、メッセージ８の内容から表示期間に関する情報（終了時）が自動的に抽出され、抽出された情報に基づき、適切な期間（通知が必要な期間）でメッセージ８を表示させる。従って、メッセージ８を効果的に使用者に通知することができる。又、従来、使用者がメッセージ８の表示期間を誤って設定した場合、適切なタイミングでメッセージ８を表示できなかったが、自動的に終了時が判断されてメッセージ８の表示が行われるので、メッセージ８を表示すべき時間を逃さずに適切なタイミングでメッセージ８を表示させることができる。又、メッセージ８の表示期間に関する設定（表示の終了時点など）を使用者が行う必要が無く、メッセージ８の作成、登録作業の簡素化を図ることができる。
【００９７】
又、判断部（パネル制御部１０）はメッセージ８の内容からメッセージ８の表示期間に関する情報を抽出し、抽出された情報に基づき、メッセージ８の内容で示されたイベントの開始時を判断し、表示部１１は開始時から予め定められた表示必要期間分、遡った時点が経過するとメッセージ８の表示を開始する。これにより、メッセージ８の内容から表示期間に関する情報（イベントの開始時）が自動的に抽出され、抽出された情報に基づき、メッセージ８は適切な時点からメッセージ８の表示を開始することができる。従って、メッセージ８の表示を効果的な時点から開始することができる。又、従来、使用者がメッセージ８の表示期間を誤って設定した場合、不適切なタイミングでメッセージ８の表示が開始されたが、自動的に適切なタイミングでメッセージ８の表示を開始させることができる。又、メッセージ８の表示開始時点の設定を使用者が行う必要が無く、メッセージ８の作成、登録作業の簡素化を図ることができる。
【００９８】
ここで、「予め定められた表示必要期間」は任意に定めることができる時間である。表示部１１に表示されたメッセージ８の内容の周知に必要と認められる期間である（１日、数日、１週間など）。イベントの開始日から表示必要期間だけ遡った時点からメッセージ８の表示が開始されるので、必要以上にメッセージ８の表示期間が長くなることが無い。又、メッセージ８が表示部１１の表示領域を長期間にわたって占め続けることがなく、表示部１１の表示領域を有効活用することができる。
【００９９】
又、判断部（パネル制御部１０）はメッセージ８から情報を１つ抽出できたとき、情報を開始時及び終了時と判断する。これにより、情報で示される日付や時刻に向けてメッセージ８が表示されることになる。従って、メッセージ８の内容に基づき、メッセージ８の表示期間が定められ、効果的に使用者にメッセージ８の内容を通知することができる。
【０１００】
又、判断部（パネル制御部１０）は情報を複数抽出できたとき、メッセージ８の先頭から見て最初に抽出した情報を開始時と判断し、メッセージ８の先頭から見て最後に抽出した情報を終了時と判断してもよい。これにより、終了時と開始時を正確に定めることができる。具体的に、メッセージ８の位置的な順番で終了時や開始時を定めるという判断手法に沿って、使用者が表示期間を示す情報を含めてメッセージ８を作成することにより、正確にメッセージ８の終了時やイベントの開始時をメッセージ８で定義することができる。
【０１０１】
又、判断部（パネル制御部１０）は情報を複数抽出できたとき、複数の情報のうち日時の順番が最初の情報を開始時と判断し、日時の順番が最後の情報を終了時と判断してもよい。これにより、終了時と開始時を正確に定めることができる。具体的に、日時の順番で終了時や開始時を定める場合、開始時や終了時を示す情報を含めてメッセージ８を作成すれば正確にメッセージ８の終了時やイベントの開始時をメッセージ８で定義することができる。
【０１０２】
又、登録部（タッチパネル部１２やテンキー部１４や通信部６３など）は記憶部（メモリー１５や記憶装置６２）に記憶されたメッセージ８を非表示とする設定入力を受け付け、表示部１１は非表示と設定入力されたメッセージ８を、終了日と開始日のいずれか一方、又は両方から遡った予め定められた注意表示時で表示する。これにより、いったん非表示とされたメッセージ８を、念のため、あえて終了日と開始日の前にメッセージ８を表示させることができる。
【０１０３】
又、記憶部（メモリー１５や記憶装置６２）は終了時が経過したメッセージ８を消去し、表示部１１は終了時が経過したメッセージ８を表示しない。これにより、メッセージ８を表示すべき期間がすぎて不要となったメッセージ８は自動的に表示されなくなる。従って、使用者は不要となったメッセージ８を消去、削除する操作を行わなくて済む。又、記憶部から自動的に不要なデータが削除され、記憶部の記憶領域を有効活用することができる。
【０１０４】
又、画像形成装置（複合機１００）は表示期間に設定する必要が無く、メッセージ８の作成、登録の作業が簡素化された表示装置（操作パネル１）を含むので、メッセージ８を簡易に表示させることができる画像形成装置を提供することができる。又、上記の表示装置を含むので、適切なタイミングでメッセージ８を表示して通知を効果的に行える画像形成装置を提供することができる。
【０１０５】
本発明の実施形態を説明したが、本発明の範囲はこれに限定されるものではなく、発明の主旨を逸脱しない範囲で種々の変更を加えて実施することができる。
【産業上の利用可能性】
【０１０６】
本発明は操作パネルのような表示部とタッチパネル部を有する表示装置や、画像形成装置に利用可能である。
【符号の説明】
【０１０７】
１００  複合機（画像形成装置）          １      操作パネル（表示装置）
１０    パネル制御部（判断部）          １１    表示部
１２    タッチパネル部（登録部）        １４    テンキー部（登録部）
１５    メモリー（記憶部）              ６２    記憶装置（記憶部）
６３    通信部（登録部）                ６５    計時部
８      メッセージ
【図１】
2014102564.tif 000003
【図２】
2014102564.tif 000004
【図３】
2014102564.tif 000005
【図４】
2014102564.tif 000006
【図５】
2014102564.tif 000007
【図６】
2014102564.tif 000008
【図７】
2014102564.tif 000009
【図８】
2014102564.tif 000010
【図９】
2014102564.tif 000011